(57)【要約】【課題】本発明は、媒体に設けた磁気ストライプにデータを書き込むときの媒体の速度変動を抑えることができる磁気ストライプ書込み装置を提供する。【解決手段】磁気ストライプ３３を設けた横型の媒体１２を開いた状態で搬送する搬送手段２０により媒体１２を移動させながら磁気ストライプ３３にデータの書込み処理を行う磁気ヘッド２３を有し、媒体１２の先端側３０の厚さを検出する媒体厚さ検出部２５を設け、この媒体厚さ検出部２５により媒体１２の厚さを検出し、媒体１２の薄い側から磁気ヘッド２３に搬送し磁気ストライプ３３にデータを書き込みする制御部４１を備えた。【選択図】      図１
2005339044.tif 000002
【特許請求の範囲】
【請求項１】
磁気ストライプを設けた横型の媒体を開いた状態で搬送する搬送手段と、この搬送手段により前記媒体を移動させながら前記磁気ストライプにデータの書込み処理を行う磁気ヘッドと、前記媒体の先端側の厚さを検出する媒体厚さ検出部と、この媒体厚さ検出部により前記媒体の厚さを検出し、前記媒体の薄い側から前記磁気ヘッドに搬送しながら前記磁気ストライプにデータを書き込みする制御部を備えたことを特徴とする磁気ストライプ書き込み装置。
【請求項２】
前記媒体厚さ検出部は、頁マークで媒体の厚さを検出することを特徴とする請求項１記載の磁気ストライプ書き込み装置。
【発明の詳細な説明】
【技術分野】
【０００１】
本発明は、金融機関で取り扱う通帳等の媒体に設けられた磁気ストライプのデータを処理する磁気ストライプ書き込み装置に関する。
【背景技術】
【０００２】
従来、通帳等の冊子状の媒体に設けられた磁気ストライプに磁気データを書き込む磁気ストライプ書き込み装置おいて、媒体を搬送する搬送手段としては、図９に示すように、媒体８１の挿入、排出を行う搬送口８２を設け、この搬送口８２から挿入された媒体８１を図示しない磁気ストライプ書き込み部まで搬送する搬送路８３が形成されている。この搬走路８３には媒体８１の表紙側を支持する媒体支持板８４と媒体８１の中紙側をガイドするための媒体ガイド板８５によって構成されている。媒体８１を搬送するための搬送ローラ８６が搬送路８３の媒体支持板８４の裏側から表側に突出して所定の間隔で設けられ、この搬送ローラ８６に対向して媒体ガイド板８５の裏側から表に突出する回転自在なピンチローラ８７が設けられている。
【０００３】
媒体８１を開いた状態で搬送口８２から挿入し搬送ローラ８６とピンチローラ８７のニップ部８８で挟み一定の速度により搬送路８３に沿って搬送される。さらに搬送路８３の途中に設けられた図示しない磁気ストライプデータ処理部で磁気ストライプのデータの書き込み処理が行われるようになっている。
【０００４】
また、媒体を開いた状態で搬送する場合、冊子状の媒体の綴じ部付近に綴じ癖がついているものがある。このような綴じ癖がついているものは、磁気ストライプもこれに合わせて変形されている。この変形の影響により磁気ストライプのデータの書き込みの不具合を避けるために綴じ部押え付けアームが設けられている。（たとえば、特許文献１参照）。
【特許文献１】特開平５−４６７９５号公報
【発明の開示】
【発明が解決しようとする課題】
【０００５】
媒体にデータを記帳する金融機関においては、媒体に記帳する処理量の増大に伴いより処理速度の高速化が求められている。媒体に記帳する場合、媒体が搬送ローラとピンチローラの各ローラ部分に突入するときに、媒体の先端が薄いときは、速度の変動の影響はほとんどないが、図９に示すように媒体の先端が厚くなればなるほど各ローラのニップ部分より手前で媒体がローラに衝突して搬送速度の変動が生じる。この媒体の衝突により搬送量のズレが起こり、磁気ストライプにデータを書き込み処理が正常にできなくなる。すなわち搬送速度の変動は磁気ストライプのデータ書込みに大きな影響を与える。これらの問題を解決するために、たとえば、各ローラ径をできるだけ大きくして防ぐことができるが、ローラの間隔をあけて数多く配置するために装置が大型になってしまうという課題がある。
【０００６】
また特許文献１に示すように、媒体の綴じ部を押さえる綴じ部押え付けアームを設けることにより速度変動を抑えることができるが、これも装置が大型になるとともにコストアップを招くという課題がある。
【０００７】
本発明は、媒体に設けた磁気ストライプにデータを書き込むときの媒体の速度変動を抑えることができる磁気ストライプ書込み装置を提供する。
【課題を解決するための手段】
【０００８】
本発明の磁気ストライプ書込み装置は、磁気ストライプを設けた横型の媒体を開いた状態で搬送する搬送手段により媒体を移動させながら磁気ストライプにデータの書込み処理を行う磁気ヘッドを有し、媒体の先端側の厚さを検出する媒体厚さ検出部を設け、この媒体厚さ検出部により媒体の厚さを検出し、媒体の薄い側から磁気ヘッドに搬送しながら磁気ストライプにデータを書き込みする制御部を備えた。
【発明の効果】
【０００９】
本発明によれば、磁気ストライプにデータを書き込むときに媒体の速度変動を抑えることができる。
【発明を実施するための最良の形態】
【００１０】
以下、本発明の一実施の形態について図面を参照して説明する。図１は本発明に係る磁気ストライプ書込み装置の主要な構成を説明する図、図２は図１の内部構成を上から見た図、図３は本発明に係る磁気ストライプ書込み装置で使用される通帳である冊子状の媒体の構成について説明をする図、図４は媒体の各頁を開きの状態で示す側面図である。
【００１１】
図１に示すように１１は磁気ストライプ書き込み装置で、この磁気ストライプ書き込み装置１１には媒体１２の挿入、排出を行う搬送口１３を設け、この搬送口１３から挿入された媒体１２を印字部１４まで搬送する搬送路１５が形成されている。この搬走路１５には媒体１２の表紙側を支持する媒体支持板１６と媒体の中紙側をガイドするための媒体ガイド板１７によって構成されている。媒体１２を搬送するための各搬送ローラ１８が搬送路１５の媒体支持板１６の裏側から表側に突出して所定の間隔で設けられている。この搬送ローラ１８に対向して媒体ガイド板１７の裏側から表に突出する回転自在な各ピンチローラ１９が設けられている。これら、搬送路１５、搬送ローラ１８、ピンチローラ１９は搬送手段２０を構成している。
【００１２】
搬送口１３の近傍に上下に挟んだ媒体挿入検出センサ２１が設けられている。この媒体挿入検出センサ２１は媒体１２を検出するセンサであり、一般的には、ＬＥＤ（Light Emitting Diode)等を用いた光センサ２１が採用される。このセンサ２１は光路を形成して、媒体１２がその光路を遮断することで挿入を検知する。さらにこのセンサ２１は媒体１２が光路を遮断、または開放した時点を基準時として、その後の経過時間から媒体１２の移動量を算出するための制御に用いられる。
【００１３】
媒体挿入検出センサ２１の下流には媒体１２の挿入を制限するために搬送口１３を開閉するためのシャッター２２が設けられており、媒体挿入検出センサ２１に媒体１２が挿入されたことを検出するとシャッター２２が開放されるとともに搬送ローラ１８とピンチローラ１９で媒体１２が搬送路１５の奥へ移動される。
【００１４】
前記媒体検出センサ２２の下流の搬送路１５の下側には媒体１２の表紙下側に記憶された磁気ストライプ３３のデータを読み取りまたは書き込むための磁気ヘッドからなる磁気ストライプ読取り書き込み部２３が設けられている。搬送路１５のさらに下流には搬送口１３から挿入された媒体１２の先端側３０又は後端側３１を検出する位置センサ２４が設けられている。
【００１５】
この位置センサ２４の下流には頁マーク読取りセンサ２５が搬送路１５上側に設けられている。この頁マーク読取りセンサ２５はＣＣＤ（チャージ・カップルド・デバイス）２６からなり、このＣＣＤ２６は媒体１２の搬送方向と直交する方向を長手方向とし装置内に固定して配置されている。また、このＣＣＤ２６の長手方向の長さ媒体１２の搬送方向と直交する方向より長くなっており、これによってＣＣＤ２６を動かすことなく媒体１２全体の画像を読取ることができる。さらに頁マーク読取りセンサ２５は頁マークを読取ることにより媒体１２の先端側の厚さを検知する媒体厚さ検出部２５としての機能を有している。この媒体厚さ検出部２５は、本実施形態における要旨である媒体１２の中紙の上方に設けた縦バーコード３６のデータを読み取り、媒体１２の搬送する方向の媒体の厚さを検出することで媒体１２の先端側３０の厚さが薄いか否かを判断して磁気ヘッド２３に対して磁気ストライプ３３への書き込みを制御するようになっている。
【００１６】
頁マーク読取りセンサ２５の下流には媒体１２への印字を行う印字手段である印字部１４が設けられている。この印字部１４は印字ヘッド２７とこの印字ヘッド２７に対向して下側にはプラテン２８を設けている。この印字部１４は搬送されてきた媒体１２に取引結果など所定の印字出力をする機能を有する。
【００１７】
図３に示すように通帳等の冊子状の媒体１２は、媒体１２を開いた状態で搬送方向Ｘに対し吸入方向の先端を先端側３０、後端を後端側３１と定義する。また、媒体１２の中央には中紙を綴じる綴じ部３２が設けられている。この綴じ部３２は搬送方向Ｘに対して直交する方向に沿って設けられている。さらに、媒体１２の表紙下側に縦型の磁気ストライプ３３が設けられ、この磁気ストライプ３３の吸入方向に対し先方を先端３４、後方を後端３５と定義する。さらに、媒体１２の中紙の上方には頁マークである縦バーコード３６が印刷されている。磁気ストライプ３３には、当該媒体１２の口座番号等の個別データが書き込まれており、縦バーコード３６には、開いた頁の科目、頁を示すものである。
【００１８】
図４に示すように例えば、媒体１２が１３頁の枚数に設定されている場合、先端側３０の頁が６頁以下の枚数の場合、媒体厚さ検出部２５では媒体１２の厚さは薄いと判断される。また、７頁以上の枚数の場合、媒体１２の厚みは厚い（薄くない）と判断される。
【００１９】
図５は本実施の形態に係る磁気ストライプ情報書き込み装置の構成を示すブロック図で、４１は制御部本体としてのＣＰＵ（中央処理装置）、４２はＣＰＵ４１が各部を制御するためのプログラムデータ等を格納したＲＯＭ（リード・オンリーメモリ）、４３はＣＰＵ４１が行う各種データ処理のために使用されるメモリエリアなどを設けたＲＡＭ（ランダム・アクセス・メモリ）、４４は媒体検出センサ２１を制御する媒体検出センサ制御部、４５はシャッター２２の開閉を制御するシャッター制御部、４６は搬送ローラ１８を正逆回転させるための搬送モータ４７を制御する搬送モータ制御部、４８は磁気ヘッド２３で磁気ストライプ３３の読み取りまたは書き込みを制御する磁気ストライプ読み取り・書き込み制御部、４９は媒体１２の先端側３０または後端部３１を検出する媒体位置センサ２４を制御する媒体位置センサ制御部である。
【００２０】
また、５０は媒体の先端側３０の厚さを検出する媒体厚さ検出部２５を制御する媒体厚さ検出制御部、５１は媒体に金額などを印字するための印字ヘッド２７を制御する印字制御部である。さらに、５２は上位のセンタのコンピュータをオンライン通信で接続する通信インタフェースである。
【００２１】
上記ＣＰＵ４１とＲＯＭ４２、ＲＡＭ４３、媒体検出センサ制御部４４、シャッター制御部４５、搬送モータ制御部４６、磁気ストライプ読み取り・書き込み制御部４８、媒体位置センサ制御部４９、媒体厚さ検出制御部５０、印字制御部５１、通信インタフェース５２とは、制御バス、システムバス、データバス等のバスラインにより電気的に接続されている。
【００２２】
次に、図６に示すフローチャートを参照に磁気ストライプにデータを書き込む動作を説明する。上記ＣＰＵ４１は、図６に示すように媒体１２が搬送口１３にセットされると、ＲＯＭ４２に記憶されたプログラムに基づいて図に示すような処理を行うようになっている。先ず、ＣＰＵ４１は、ＳＴ（ステップ）１において搬送口１３にセットされた媒体１２を吸入方向へ搬送する。具体的には、媒体１２が挿入したことを媒体検出センサ２１が検知するとシャッター２２が開放されて搬送モータ制御部４６を介して搬送モータ４７が駆動し搬送ローラ１８とピンチローラ１９とで媒体１２を挟んだ状態で移動させる。
【００２３】
続いてＳＴ２において媒体１２の磁気ストライプ３３に書かれている取引情報を読み取りながら印字部１４に進むと同時に頁マーク読み取りセンサ２５により読み取りながら搬送される。具体的には、磁気ストライプ読み取り・書込み制御部４８を介して磁気ヘッド２３を制御し、媒体１２の裏表紙に設けられた磁気ストライプ（ＭＳ）３３に記憶された印字最終行、預金残高などの情報を読取るとともに頁マーク読取センサ２５で媒体１２の先端側３０の頁マーク３６を読み取る。そして磁気ストライプ（ＭＳ）３３に記憶された印字最終行、金銭残高などの読取ったデータは通信インタフェース５２を介してオンライン接続しているホストコンピュータに送信される。
【００２４】
ＳＴ３において通信インタフェース５２を介してホストコンピュータとの金銭情報記憶部の原簿から印字最終行、金銭残高など取引情報を受信する。
【００２５】
ＳＴ４においてホストコンピュータからの印字最終行、金銭残高など取引情報に基づいて金銭情報を受信し、それらの取引情報を媒体１２を印字部１４に移動させながら印字する。
【００２６】
ＳＴ５において媒体１２の先端側３０を媒体厚さ検出部２５で検知して媒体１２が薄いか厚いかを判断する。具体的には縦バーコード３６の頁マークを読み取り媒体の厚さを検出し、媒体が薄いか否かを判断する。
【００２７】
ＳＴ５のＹにおいて媒体が薄いと判断すると、ＳＴ６において、図７に示すように磁気（ＭＳ）ヘッドより磁気ストライプ３３の先端３４が手前になるまで排出する。具体的には、媒体位置センサ２４をＯＦＦより１０パルス数を排出して停止すると磁気ストライプ３３の先端３４が磁気ヘッド２３より手前側に停止する。
【００２８】
ＳＴ５のＮにおいて媒体１２先端側３０が薄くないと判断すると、ＳＴ７において、図８に示すように磁気ヘッド２３より磁気ストライプ３３の後端３５が奥になるまで吸入する。具体的には、媒体位置センサ２４をＯＮより１００パルス数を吸入して止めると磁気ストライプ３３後端３５が磁気ヘッド２３より奥側に止まる。
【００２９】
ＳＴ８において、媒体１２の厚さが薄い側から磁気ヘッド２３に移動させて磁気ヘッド２３により磁気ストライプ３３にデータの書き込み処理を行う。具体的には、前記媒体厚さ検出部２５により前記媒体１２の先端側３０の頁マーク３６を検出し、前記媒体１２の先端側３０の厚さが後端側３１の厚さより薄いと判定した場合、前記磁気ストライプ３３の先端が前記磁気ヘッド２３の手前になるまで搬送手段２０により排出し、そこから吸入しながら前記磁気ヘッド２３で前記磁気ストライプ３３にデータの書き込みを行う。または、前記媒体１２の先端側３０の厚さが後端側３１より厚いと判定した場合、前記磁気ストライプ３３の後端３５が前記磁気ヘッド２３の奥側になるまで前記搬送手段２０により吸入し、そこから排出しながら前記磁気ヘッド２３で前記磁気ストライプ３３にデータの書き込みを行う。
【００３０】
ＳＴ９において、磁気ストライプ３３に情報を書き込み処理した逆方向に媒体１２を搬送して磁気ストライプ３３のデータの読み取り処理を行う。
【００３１】
ＳＴ１０において、媒体１２を搬送口１３まで移動させて処理を終了する。具体的には、ＣＰＵ４１は搬送モータ４７を駆動させて搬送ローラ１８とピンチローラ１９を回転させて媒体１２を搬送口１３から排出させる。
【００３２】
以上、本発明の実施の形態において、媒体が搬送口にセットされると、媒体が磁気ヘッドへ搬送され、媒体に設けた磁気ストライプの情報が読み取られ、さらに、頁マーク情報が頁マーク読取りセンサで読取られ、この読取られた情報に基づいて媒体厚さ検出部において媒体の厚さが薄いか否かを判断し、媒体の薄い方向から磁気ヘッドに搬送して媒体の磁気ストラプに情報を書き込むようにしたことで、媒体の搬送速度の変動により磁気ストライプへの情報を誤って書き込むことがなくなった。
【００３３】
本発明の実施の形態では、媒体厚さ検出部として頁マークを用いたが、これに限定されることはなく、たとえば、印字手段における印字ヘッドと媒体の間隔を制御する構成にしてもよいことは勿論である。
【００３４】
以上説明したように、本発明は、前記実施の形態に限定されるものではなく、実施の段階ではその趣旨を逸脱しない範囲で種々に変形することが可能であることは言うまでもない。
【図面の簡単な説明】
【００３５】
【図１】本発明の実施形態に係る磁気ストライプ書込み装置の主要な構成を説明する側面図。
【図２】同実施形態に係る磁気ストライプ書込み装置の主要な構成を説明する平面図。
【図３】同実施形態に使用する通帳を説明する中紙側の平面図。
【図４】同実施形態に使用する通帳を説明する側面図。
【図５】同実施形態に係る磁気ストライプ書込み装置のブロックを示す図。
【図６】同実施形態におけるＣＰＵが行う処理を示すフローチャート図。
【図７】同実施形態に係る磁気ストライプ書込み装置と媒体との関係を示す平面図。
【図８】同実施形態に係る磁気ストライプ書込み装置と媒体との関係を示す平面図。
【図９】従来の媒体を搬送する搬送手段の説明する図。
【符号の説明】
【００３６】
１２…媒体、２０…搬送手段、２３…磁気ヘッド、２５…媒体厚さ検出部、３０…媒体の先端側、３３…磁気ストライプ、３６…頁マーク、４１…ＣＰＵ（制御部）、４２…ＲＯＭ、４３…ＲＡＭ。
【図１】
2005339044.tif 000003
【図２】
2005339044.tif 000004
【図３】
2005339044.tif 000005
【図４】
2005339044.tif 000006
【図５】
2005339044.tif 000007
【図６】
2005339044.tif 000008
【図７】
2005339044.tif 000009
【図８】
2005339044.tif 000010
【図９】
2005339044.tif 000011